(57)【要約】      （修正有）【課題】最後まで安定して衛生薄葉紙を取り出し易くすることができる薄葉紙ホルダーを提供する。【解決手段】薄葉紙ホルダー１０Ａは、壁面に設けられているタオル掛け１３Ａに取付け可能な薄葉紙ホルダーであって、複数のティシュペーパーＴを収容するホルダー本体１１と、ホルダー本体１１の底面部１１ｃに設けられ、ホルダー本体１１に収容されたティシュペーパーＴが取出し可能な開口部と、タオル掛け１３Ａに着脱可能に取付けられ、ホルダー本体１１を吊す、３つの連結部１２Ａ〜１２Ｃとを有し、３つの連結部１２Ａ〜１２Ｃのうち、二つの連結部１２Ａ、１２Ｂは、ホルダー本体１１の上面部１１ｅの奥行き方向Ｙの中間より背面部１１ｂ側の位置に連結され、残りの連結部１２Ｃは、ホルダー本体１１の上面部１１ｅの奥行き方向Ｙの中間より前面部１１ａ側の位置に連結される。【選択図】図１
2018122878.tif 000002
【特許請求の範囲】
【請求項１】
壁面に設けられている取付け部に取付け可能な薄葉紙ホルダーであって、
複数の衛生薄葉紙を収容するホルダー本体と、
前記ホルダー本体の底面部に設けられ、前記ホルダー本体に収容された前記衛生薄葉紙が取出し可能な開口部と、
前記取付け部に着脱可能に取付けられ、前記ホルダー本体を吊す、少なくとも３つの連結部とを有し、
前記３つの連結部のうち、一つまたは二つの前記連結部は、前記ホルダー本体の上面部の奥行き方向の中間より背面部側の位置に連結され、残りの前記連結部は、前記ホルダー本体の上面部の奥行き方向の中間より前面部側の位置に連結されることを特徴とする薄葉紙ホルダー。
【請求項２】
前記３つの連結部のうち、少なくとも一つの前記連結部は、前記取付け部に堅固に固定される請求項１に記載の薄葉紙ホルダー。
【請求項３】
前記二つの連結部と前記一つの連結部とは、前記一つの連結部が前記取付け部に前記二つの連結部の間で取付けられるように配置される請求項１または２に記載の薄葉紙ホルダー。
【請求項４】
壁面に設けられている取付け部に取付け可能な薄葉紙ホルダーであって、
積層された複数の衛生薄葉紙を収容するホルダー本体と、
前記ホルダー本体の底面部に設けられ、前記ホルダー本体に収容された前記衛生薄葉紙が取出し可能な開口部と、
前記取付け部に着脱可能に連結され、前記ホルダー本体を吊す、少なくとも２つの連結部と、
前記ホルダー本体の背面部側に前記壁面に向かって突設した支持部とを有し、
前記２つの連結部は、前記ホルダー本体の上面部の奥行き方向の中間より背面部側の位置から前記取付け部に連結されることを特徴とする薄葉紙ホルダー。
【請求項５】
前記支持部は、前記ホルダー本体の前記底面部にスライドして突設するように設けられる請求項４に記載の薄葉紙ホルダー。
【請求項６】
前記支持部は、前記ホルダー本体の前記背面部から前記壁面側に回動して突設するように設けられる請求項４に記載の薄葉紙ホルダー。
【発明の詳細な説明】
【技術分野】
【０００１】
本発明は、薄葉紙ホルダーに関する。
【背景技術】
【０００２】
ペーパータオル、ティシュペーパー、トイレットペーパー、キッチンペーパー、または掃除用ワイプなどの衛生薄葉紙の束を、フィルム包装された状態、収納箱に収納された状態、または衛生薄葉紙の束のまま内部に収容し、取出口から内部の衛生薄葉紙を取り出す形態の薄葉紙ホルダーが、洗面所やキッチンなど水回りに設置されている。
【０００３】
薄葉紙ホルダーの取出口が上向きの場合は、机や調理台の上に薄葉紙ホルダーを載置する。しかし、衛生薄葉紙を使用する際に薄葉紙ホルダーの取出口やその周辺が水などで濡れたり、調理などによる油の飛び跳ねにより汚れるなどして、薄葉紙ホルダーの外表面が不衛生になり、使用上好ましくない。
【０００４】
薄葉紙ホルダーの取出口が横向きの場合は、積層された衛生薄葉紙の束が薄葉紙ホルダーの内部で横を向き、使用中に衛生薄葉紙の束が内部で崩れてしまう場合がある。その結果、衛生薄葉紙を使用する際に、薄葉紙ホルダーの取出口から衛生薄葉紙を取り出すのに抵抗が大きく、シートが破れたり、一度に数枚まとまって出るなどの取出し不良となる。
【０００５】
一方、水回りの壁面に取付けたフックなどにペーパータオルディスペンサーの背面に設けた開口を掛けて、底面に設けた開口部からペーパータオルを取り出して使用する技術がある（例えば、特許文献１参照）。
【０００６】
また、水回りの壁面や、水回りの周辺に配置された構造物（例えば、冷蔵庫、食器棚など）の壁面に設けられているタオル掛けなどに薄葉紙ホルダーや衛生用紙収納箱を吊下げて使用する方法がある。例えば、特許文献２では、衛生用紙収納箱をＳ字状フックなどの吊下げ具に吊下げて使用する技術が開示されている。
【先行技術文献】
【特許文献】
【０００７】
【特許文献１】特開２０１６−６７４７５号公報
【特許文献２】特開２０１２−１７１６４２号公報
【発明の概要】
【発明が解決しようとする課題】
【０００８】
しかしながら、特許文献１に記載の技術は、専用のフックを必要とする。また、特許文献２に記載の技術のように、タオル掛けなどを利用して薄葉紙ホルダーや衛生用紙収納箱を吊下げて使用する方法では、薄葉紙ホルダーは傾き易い。そのため、薄葉紙ホルダー内の衛生薄葉紙が少なくなると、衛生薄葉紙が薄葉紙ホルダーの傾斜している面側に移動してしまい、衛生薄葉紙が取り出し難くなる傾向がある。
【０００９】
本発明の一態様は、最後まで安定して衛生薄葉紙を取り出し易くすることができる薄葉紙ホルダーを提供することを目的とする。
【課題を解決するための手段】
【００１０】
本発明の第１の態様による薄葉紙ホルダーは、壁面に設けられている取付け部に取付け可能な薄葉紙ホルダーであって、複数の衛生薄葉紙を収容するホルダー本体と、前記ホルダー本体の底面部に設けられ、前記ホルダー本体に収容された前記衛生薄葉紙が取出し可能な開口部と、前記取付け部に着脱可能に取付けられ、前記ホルダー本体を吊す、少なくとも３つの連結部とを有し、前記３つの連結部のうち、一つまたは二つの前記連結部は、前記ホルダー本体の上面部の奥行き方向の中間より背面部側の位置に連結され、残りの前記連結部は、前記ホルダー本体の上面部の奥行き方向の中間より前面部側の位置に連結される。
【００１１】
第１の態様によれば、少なくとも３つの連結部をホルダー本体に所定の配置で連結しつつ取付け部に取付けることで、ホルダー本体の底面部が床面方向を向く（底面部が床面と並行である）ように、ホルダー本体を安定した状態で吊すことができる。また、積層された衛生薄葉紙の最下面は、常にホルダー本体の底面部に位置する。よって、第１の態様による薄葉紙ホルダーによれば、ホルダー本体内の衛生薄葉紙をホルダー本体の底面部に設けた開口部から最後まで安定して取り出し易い状態を維持することができる。
【００１２】
第２の態様では、前記３つの連結部のうち、少なくとも一つの前記連結部は、前記取付け部に堅固に固定されている。このような構成とすることにより、使用時に使用者がホルダー本体内の衛生薄葉紙を開口部の斜め方向から取り出したりしても、取付け部で連結部が横ずれなどすることを抑制することができる。なお、本明細書において、堅固に固定とは、連結部が取付け部に対して横ずれなどしないことを意味する。
【００１３】
第３の態様では、前記二つの連結部と前記一つの連結部とは、前記一つの連結部が前記取付け部に前記二つの連結部の間で取付けられるように配置される。このような構成とすることにより、ホルダー本体を底面部が床面方向を向くようにしたまま、ホルダー本体をより安定した状態で吊すことができる。
【００１４】
本発明の第４の態様による薄葉紙ホルダーは、壁面に設けられている取付け部に取付け可能な薄葉紙ホルダーであって、積層された複数の衛生薄葉紙を収容するホルダー本体と、前記ホルダー本体の底面部に設けられ、前記ホルダー本体に収容された前記衛生薄葉紙が取出し可能な開口部と、前記取付け部に着脱可能に連結され、前記ホルダー本体を吊す、少なくとも２つの連結部と、前記ホルダー本体の背面部側に前記壁面に向かって突設した支持部とを有し、前記２つの連結部は、前記ホルダー本体の上面部の奥行き方向の中間より背面部側の位置から前記取付け部に連結される。
【００１５】
第４の態様によれば、支持部を壁面に向かって突設することにより、支持部の端部を壁面に接触させることができる。これにより、ホルダー本体の底面部が床面方向を向くように、ホルダー本体を安定した状態で吊すことができる。また、積層された衛生薄葉紙の最下面は常にホルダー本体の底面部に位置する。よって、第４の態様による薄葉紙ホルダーによれば、ホルダー本体内の衛生薄葉紙をホルダー本体の底面部に設けた開口部から最後まで安定して取り出し易い状態を維持することができる。
【００１６】
第５の態様では、前記支持部は、前記ホルダー本体の前記底面部にスライドして突設するように設けられる。このような構成とすることにより、支持部を使用しないときは、支持部が突設しないようにホルダー本体にスライドさせる。これにより、薄葉紙ホルダーの流通時など薄葉紙ホルダーが使用されない時に、薄葉紙ホルダーが嵩張ることを防ぐことができる。
【００１７】
第６の態様では、前記支持部は、前記ホルダー本体の前記背面部から前記壁面側に回動して突設するように設けられる。このような構成とすることにより、支持部を使用しないときは、支持部が突設しないようにホルダー本体側に回動させる。これにより、薄葉紙ホルダーの流通時など薄葉紙ホルダーが使用されない時に、薄葉紙ホルダーが嵩張ることを防ぐことができる。
【発明の効果】
【００１８】
本発明の一態様による薄葉紙ホルダーは、最後まで安定して衛生薄葉紙を取り出し易くすることができる。
【図面の簡単な説明】
【００１９】
【図１】本発明の第１の実施形態に係る薄葉紙ホルダーの一例を示す斜視図である。
【図２】図１のＡ方向から見た底面図である。
【図３】本発明の第１の実施形態に係る薄葉紙ホルダーの底面部側から見た斜視図である。
【図４】連結部の他の構成の一例を示す図である。
【図５】薄葉紙ホルダーが他のタオル掛けに取り付けられる態様の一例を示す図である。
【図６】連結部の他の構成の一例を示す斜視図である。
【図７】本発明の第２の実施形態に係る薄葉紙ホルダーの一例を示す斜視図である。
【図８】本発明の第２の実施形態に係る薄葉紙ホルダーの底面部側から見た斜視図である。
【図９】薄葉紙ホルダーを底面部から見た図である。
【図１０】支持部を壁面側に取り出した状態を示す図である。
【図１１】薄葉紙ホルダーの他の構成の一例を示す図である。
【図１２】支持部を閉じている状態を示す図である。
【発明を実施するための形態】
【００２０】
以下、本発明の実施の形態について、図面を参照しながら詳細に説明する。なお、実施形態は以下の記述によって限定されるものではなく、本発明の要旨を逸脱しない範囲において適宜変更可能である。また、理解の容易のため、図面における各部材の縮尺は実際とは異なる場合がある。また、以下の説明において、薄葉紙ホルダーの高さ方向の一方を上または上方といい、薄葉紙ホルダーの高さ方向の他方を下または下方という場合がある。本実施形態では、衛生薄葉紙として、ティシュペーパーを用いる場合について説明する。
【００２１】
＜第１の実施形態＞
図１は、本発明の第１の実施形態に係る薄葉紙ホルダーの一例を示す斜視図であり、図２は、図１のＡ方向から見た底面図であり、図３は、本実施形態に係る薄葉紙ホルダーの底面部側から見た斜視図である。図１〜図３に示すように、本実施形態に係る薄葉紙ホルダー１０Ａは、ディスペンサー（ホルダー本体）１１、および連結部１２Ａ〜１２Ｃを有し、洗面所やキッチンなどの水回りの壁面に設けられている取付け部であるタオル掛け１３Ａに着脱可能に取付けられる。
【００２２】
ホルダー本体１１は、収容部２１および蓋部２２を有し、収容部２１内に複数のティシュペーパーＴを直接収容可能に構成されている。
【００２３】
収容部２１は、ホルダー本体１１の前面部１１ａ、背面部１１ｂ、底面部１１ｃおよび両方の側面部１１ｄを構成する。蓋部２２は、ホルダー本体１１の前面部１１ａおよび上面部１１ｅを構成する。ホルダー本体１１の前面部１１ａは、収容部２１の一部に蓋部２２が重なって構成される。なお、本実施形態では、ホルダー本体１１の前面部１１ａは、収容部２１の一部に蓋部２２が重なって構成されているが、必ずしも重なっている必要はない。
【００２４】
収容部２１は、背面部１１ｂの上面部１１ｅ側の端部に、連結部１２Ａおよび連結部１２Ｂの固定を補強するための補強部２３を備える。補強部２３は、ホルダー本体１１の幅方向Ｘに沿って円筒状に形成されている。また、補強部２３の内側の空間には、連結部１２Ａ、１２Ｂでホルダー本体１１を、安定して長期間、連結できるように、プラスチックや金属で形成された円柱状の芯材を入れておくことが好ましい。なお、補強部２３は円筒状に形成されているが、これに限定されるものではなく、矩形状に形成されていてもよい。また、本実施形態では、ホルダー本体１１に補強部２３が設けられているが、補強部２３は必ずしも設けられる必要はなく、連結部１２Ａおよび連結部１２Ｂはホルダー本体１１に直接設けてもよい。
【００２５】
蓋部２２は、背面部１１ｂの上面部１１ｅ側の端部を軸として、上面部１１ｅが開閉可能となるように、背面部１１ｂの上面部１１ｅ側の端部に連結されている。使用時には、蓋部２２が上方に開けられることで、ホルダー本体１１の上方から、収容部２１への複数のティシュペーパーＴの装填または収容部２１からの残ったティシュペーパーＴの取り外しを自由に行うことができる。
【００２６】
また、ホルダー本体１１の前面部１１ａに位置する、収容部２１の外側および蓋部２２の内側には、それぞれ、マジックテープ（登録商標）など着脱自在な固定手段を設け、蓋部２２の端部を収容部２１に着脱自在に固定するようにしてもよい。これにより、ホルダー本体１１内にゴミや水などが侵入することを防ぐことができる。
【００２７】
ホルダー本体１１は、折り曲げ可能な一枚または複数枚の布生地で形成されていてもよい。ホルダー本体１１が布生地で形成される場合、布生地の厚さは、２００μｍ〜７００μｍ程度であることが好ましい。布生地の厚さが上記範囲内であれば、ホルダー本体１１の強度を保ちつつ、折りたたむことができる。なお、本明細書において、布生地とは、糸状の天然繊維、再生繊維、または合成繊維などを織るか編むなどして、多数の繊維を薄く広い板状に加工したものを意味し、例えば、織物、編み物、レース、フェルト、不織布などが挙げられる。
【００２８】
ホルダー本体１１が布生地で形成される場合には、ホルダー本体１１の形状を維持できるように、ホルダー本体１１内には、ホルダー本体１１の形状に沿った芯材（骨組）を含んでいてもよい。この場合、芯材の材料としては、例えば、プラスチックや針金などを用いることができる。但し、このような芯材を設ける場合も含め、ホルダー本体１１の底面部１１ｃには、所定の剛性を有するプラスチックなどの底板を設け、その上にティシュペーパーＴを載せることが好ましい。なお、底板には、開口部２４からティシュペーパーＴが取り出せるように、開口部２４に対応した孔を設ける。ホルダー本体１１を布生地で形成する場合、ティシュペーパーＴが少なくなると、積層されたティシュペーパーＴの全体の形状がくずれ、ホルダー本体１１の底面部１１ｃの形状が変形して、ティシュペーパーＴを開口部２４から取出し難くなるためである。
【００２９】
ホルダー本体１１は、ホルダー本体１１を構成する一枚または複数の布生地を縫い合わせるか、接着剤などを用いて貼り合わせて、一体化することで形成することができる。
【００３０】
また、ホルダー本体１１を形成する材料としては、布生地の他に、プラスチックを用いてもよい。プラスチックに用いられる材料としては、例えば、ポリエチレン、ポリプロピレン、ポリ塩化ビニル、ポリスチレン、ポリ酢酸ビニル、ポリウレタン、ポリテトラフルオロエチレン、ＡＢＳ樹脂、ＡＳ樹脂、アクリル樹脂などが挙げられる。
【００３１】
ホルダー本体１１がプラスチックで形成される場合、例えば、背面部１１ｂと一体になった補強部２３を形成し、補強部２３に設けた孔に、連結部１２Ａ、１２Ｂの端部を通して取付ける（図７〜図１２参照）。
【００３２】
ホルダー本体１１がプラスチックで形成される場合、ホルダー本体１１の成形方法は、特に限定されず、ホルダー本体１１の一部または全部を、従来より公知の成形方法、接着、打ち抜き加工などを用いて形成することができる。なお、ホルダー本体１１が所定の剛性を有するプラスチックで形成される場合、ホルダー本体１１の底面部１１ｃには、所定の剛性を有する底板を設けなくてもよい。
【００３３】
さらに、ホルダー本体１１は、薄い鉄板などの金属または木材で形成してもよい。
【００３４】
ホルダー本体１１の重量は、ホルダー本体１１をタオル掛け１３Ａに安定して長期間吊るす点から、例えば、５０ｇ以上であることが好ましい。
【００３５】
また、ホルダー本体１１の表面は、撥水処理または抗菌処理が施されていることが好ましい。これにより、ホルダー本体１１の表面が水などで濡れたり、調理などによる油の飛び跳ねにより汚れることを防ぐことができる。撥水剤としては、例えば、シリコーン系、フッ素系、ポリエチレンイミン系、アクリル系の撥水剤を用いることができる。また、抗菌剤としては、例えば、エタノールなどのアルコール類、次亜塩素酸や次亜塩素酸塩などの塩素化合物、過酸化水素や過酢酸などの過酸化物、酢酸やソルビン酸などの有機酸またはこれらの有機酸塩、ヨードホルムなどのヨウ素化合物、第４級アンモニウム塩など安全性の高いものなどを用いることができる。
【００３６】
ホルダー本体１１は、底面部１１ｃに、ホルダー本体１１に収容されたティシュペーパーＴを取り出すための開口部２４を備える。開口部２４は、図２に示すように、ホルダー本体１１に収めたティシュペーパーＴを底面部１１ｃ側から一枚ずつ取り出す際の取り出し口であり、底面部１１ｃの奥行き方向Ｙの中央から幅方向Ｘに沿って長方形状に形成されている。使用者は、開口部２４を通じて、ホルダー本体１１内に収容されたティシュペーパーＴを取り出せる。
【００３７】
ホルダー本体１１に収容される複数のティシュペーパーＴは、方形のティシュペーパーＴが二つ折りされ、その折り返し片の縁が上下に隣接するティシュペーパーＴの折り返し片の内面に位置するようにして、互い違いに重なり合いつつ積層されている。使用者が最底面側に位置するティシュペーパーＴを開口部２４から摘まんで下方に引っ張ると、隣接する他の一枚のティシュペーパーＴの折り返し片が引きずられ、開口部２４から次に取り出されるティシュペーパーＴの一部が露出する。これにより、ティシュペーパーＴは、開口部２４から連続的に取り出される。開口部２４は、ホルダー本体１１の底面部１１ｃに設けられているため、ホルダー本体１１に収容されているティシュペーパーＴは、開口部２４から最後の一枚まで安定して取り出せる。
【００３８】
開口部２４の長さＬや幅Ｗは、ティシュペーパーＴの大きさなどに基づいて適宜定めることができ、例えば、長さＬは１６０〜２００ｍｍ、幅Ｗは１０ｍｍ以内である。
【００３９】
なお、開口部２４は、ホルダー本体１１の底面部１１ｃの奥行きの中間に幅方向Ｘに沿って矩形状に形成されているが、これに限定されず、ティシュペーパーＴをスムーズに取り出すことができれば、他の形状でもよい。
【００４０】
連結部１２Ａ〜１２Ｃは、洗面所やキッチンなどの水回りの壁面に設けられている棒状のタオル掛け１３Ａに着脱可能に取付けられ、ホルダー本体１１をタオル掛け１３Ａに吊した状態で保持している。
【００４１】
本実施形態では、連結部１２Ａ、１２Ｂは、ホルダー本体１１の上面部１１ｅの奥行き方向Ｙの中間点Ｐ１より背面部１１ｂ側の位置として、補強部２３に連結されている。連結部１２Ｃは、ホルダー本体１１の上面部１１ｅの奥行き方向Ｙの中間点Ｐ１より前面部１１ａ側の位置として、上面部１１ｅと前面部１１ａとの折り目部分近傍で、ホルダー本体１１の幅方向Ｘの中間点Ｐ２に連結されている。連結部１２Ａ、１２Ｂは、補強部２３の幅方向Ｘの中間点Ｐ３から所定の距離（例えば、５０ｍｍ）の範囲内に、中間点Ｐ３に対して略対称となるように配置される。３つの連結部１２Ａ〜１２Ｃの長さは、例えば、連結部１２Ａと連結部１２Ｂとを同じ長さとし、連結部１２Ｃの長さを、ホルダー本体１１の底面部１１ｃが床面方向を向く（底面部１１ｃが床面と並行である）ような長さとなるように調整される。これにより、ホルダー本体１１が幅方向Ｘに傾斜することが抑えられ、ホルダー本体１１は、底面部１１ｃが床面方向を向く（底面部１１ｃが床面と並行である）ように、安定した状態で吊される。
【００４２】
なお、本実施形態では、タオル掛け１３Ａは、水回りの壁面に設けられているが、これに限定されず、例えば、冷蔵庫、食器棚などの構造物の壁面に設けられていてもよい。
【００４３】
本実施形態では、連結部１２Ａ、１２Ｂは、それぞれ、Ｓ字状フックで構成され、連結部１２Ａ、１２Ｂの一端は補強部２３に連結され、他端はタオル掛け１３Ａに取り付けられている。
【００４４】
連結部１２Ｃは、紐で構成され、連結部１２Ｃの一端は蓋部２２に連結される。連結部１２Ｃの他端には、緊締部材であるクリップ３４が設けられ、連結部１２Ｃの他端は、クリップ３４により、タオル掛け１３Ａに取り付けられている。クリップ３４は、バネなどの弾性部材を用いて、タオル掛け１３Ａに対して滑らないように堅固に固定できる構成とすることが好ましい。本実施形態では、蓋部２２には、ホルダー本体１１の上面部１１ｅに連結部１２Ｃを通す穴が設けられ、前記穴に連結部１２Ｃの一端を通して蓋部２２の裏側で結んで止めることで、連結部１２Ｃと蓋部２２とが連結される。なお、連結部１２Ｃの長さは、蓋部２２の裏側で蓋部２２の孔を通す長さを調整することで調整される。また、連結部１２Ｃは、タオル掛け１３Ａにクリップ３４でタオル掛け１３Ａを挟持して固定される。この場合、連結部１２Ｃとクリップ３４との連結方法としては、例えば、クリップ３４に連結部１２Ｃを通す穴を設け、前記穴に連結部１２Ｃの他端を通して結び、連結部１２Ｃとクリップ３４とを連結する。
【００４５】
このように、連結部１２Ａ〜１２Ｃは、上記のように構成されることで、タオル掛け１３Ａへの着脱を容易に行うことができる。
【００４６】
なお、本実施形態では、連結部１２Ａ、１２Ｂは、それぞれ、１つの部材で構成されているが、複数の部材で構成されていてもよい。
【００４７】
なお、本実施形態では、連結部１２Ａ、１２ＢはＳ字状フックで構成され、連結部１２Ｃは紐で構成されているが、連結部１２Ａ〜１２Ｃの構成は、ホルダー本体１１およびタオル掛け１３Ａに取り付け可能であれば、特に限定されない。例えば、連結部１２Ａ〜１２Ｃの構成は、３つ共、紐、Ｓ字状フック、またはマジックテープなどで構成してもよい。
【００４８】
連結部１２Ｃは、ホルダー本体１１の上面部１１ｅの中間点Ｐ２に設けられ、連結部１２Ｃはタオル掛け１３Ａに連結部１２Ａ、１２Ｂの間で取付けられるように配置されている。これにより、ホルダー本体１１の底面部１１ｃが床面方向を向くようにしたまま、ホルダー本体１１をより安定した状態でバランス良く吊すことができる。
【００４９】
また、中間点Ｐ２と中間点Ｐ３との距離Ｌ１に対する、中間点Ｐ３から連結部１２Ｃがタオル掛け１３Ａに取り付けられる位置αまでの距離Ｌ２の比（Ｌ２／Ｌ１）は、０．５〜１．０であることが好ましい。Ｌ２/Ｌ１が、０．５〜１．０であれば、ホルダー本体１１の底面部１１ｃが床面方向を向くように、ホルダー本体１１をタオル掛け１３Ａに安定して吊した場合、ホルダー本体１１の底面部１１ｃからティシュペーパーＴを無理なく下方に引き出すことができる。
【００５０】
連結部１２Ｃは、タオル掛け１３Ａに一箇所で連結されているが、これに限定されず、タオル掛け１３Ａの形態に応じて、より連結し易い構成とすることができる。例えば、図４に示すように、タオル掛け１３Ｂの形状がリング状である場合、連結部１２Ｃは、一端にＹ字型に一体成形されたプラスチックなどのフック３５を連結し、フック３５をリング状のタオル掛け１３Ｂの二箇所に取り付けてもよい。この場合でも、連結部１２Ｃは、タオル掛け１３Ｂに容易に取付けられると共に、タオル掛け１３Ｂに連結した連結部１２Ｃの位置が移動することが抑えられる。
【００５１】
本実施形態では、三つの連結部１２Ａ〜１２Ｃがホルダー本体１１の上面部１１ｅに設けられているが、これに限定されず、ホルダー本体１１をタオル掛け１３Ａに安定して取付けられれば、連結部はホルダー本体１１に四つ以上設けられていてもよい。
【００５２】
本実施形態では、連結部１２Ａ、１２Ｂは補強部２３に連結され、連結部１２Ｃはホルダー本体１１の前面部１１ａと上面部１１ｅとの折り目部分近傍に連結されているが、これに限定されない。例えば、連結部１２Ａ、１２Ｂがホルダー本体１１の上面部１１ｅの奥行き方向Ｙの中間点Ｐ１より背面部１１ｂ側の位置に連結され、連結部１２Ｃがホルダー本体１１の上面部１１ｅの奥行き方向Ｙの中間点Ｐ１より前面部１１ａ側の位置に連結されていればよい。
【００５３】
本実施形態では、連結部１２Ｃは、クリップ３４を用いてタオル掛け１３Ａに堅固に固定されている。これにより、使用時にホルダー本体１１内のティシュペーパーＴが開口部２４の斜め下方向から取り出される場合でも、タオル掛け１３Ａで連結部１２Ｃがタオル掛け１３Ａの軸方向に横ずれなどすることを抑制することができる。
【００５４】
なお、連結部１２Ｃをタオル掛け１３Ａに堅固に固定しない場合には、連結部１２ＣをＳ字状フックとしてもよい。
【００５５】
連結部１２Ａ〜１２Ｃのホルダー本体１１からタオル掛け１３Ａまでの長さは、特に限定されるものではなく、適宜任意に調整することができる機構としてもよい。このように構成し、ホルダー本体１１をタオル掛け１３Ａに取り付ける位置を調整することで、ティシュペーパーＴを取出す位置を調整することができる。
【００５６】
また、本実施形態では、例えば、図５に示すように、連結部１２Ａ〜１２Ｃは長方形状のタオル掛け１３Ｃに取り付けられてもよい。
【００５７】
このように、本実施形態に係る薄葉紙ホルダー１０Ａは、上記のように、連結部１２Ａ〜１２Ｃをホルダー本体１１に所定の配置で連結しつつタオル掛け１３Ａに取付けることで、ホルダー本体１１の底面部１１ｃが床面方向を向くように、ホルダー本体１１を安定した状態で吊すことができる。これにより、ティシュペーパーＴは取り出し易くなり、ティシュペーパーＴの取り出しをスムーズに行なうことができる。この結果、ティシュペーパーＴをホルダー本体１１の開口部２４から安定して取り出すことができる。また、積層されたティシュペーパーＴの最下面は、常にホルダー本体１１の底面部１１ｃに位置する。そのため、ホルダー本体１１は、ホルダー本体１１内のティシュペーパーＴを開口部２４から最後まで安定して取り出し易い状態を維持することができる。よって、本実施形態に係る薄葉紙ホルダー１０Ａによれば、ホルダー本体１１内のティシュペーパーＴを最後まで安定して開口部２４から取り出し易くすることができる。
【００５８】
また、本実施形態に係る薄葉紙ホルダー１０Ａは、上記の通り、連結部１２Ａ〜１２Ｃに所定の部材を用いて構成することにより、タオル掛け１３Ａへの取り付けを容易に行うことができる。
【００５９】
さらに、本実施形態に係る薄葉紙ホルダー１０Ａは、洗面所やキッチンなど水回りの壁面に設置し、ホルダー本体１１の底面部１１ｃから開口部２４より下向きにティシュペーパーＴを取り出している。そのため、開口部２４に水などがかからないようにティシュペーパーＴを取り出すことができる。
【００６０】
このように、本実施形態に係る薄葉紙ホルダー１０Ａは、ティシュペーパーＴを最後まで取り出し易い状態を維持することができる上、取り付けが容易であり、ホルダー本体１１も汚れ難いため、一般家庭、病院、商業施設などにおいて好適に使用することができる。
【００６１】
また、本実施形態では、２つの連結部１２Ａ、１２Ｂがホルダー本体１１の上面部１１ｅの奥行き方向Ｙの中間点Ｐ１より背面部１１ｂ側の位置に連結され、１つの連結部１２Ｃがホルダー本体１１の上面部１１ｅの奥行き方向Ｙの中間点Ｐ１より前面部１１ａ側の位置に連結されている場合について説明したが、これに限定されない。例えば、図６に示すように、２つの連結部１２Ａ、１２Ｂがホルダー本体１１の上面部１１ｅの奥行き方向Ｙの中間点Ｐ１より前面部１１ａ側の位置に連結され、１つの連結部１２Ｃがホルダー本体１１の上面部１１ｅの奥行き方向Ｙの中間点Ｐ１より背面部１１ｂ側の位置に連結されるように構成してもよい。
【００６２】
＜第２の実施形態＞
本発明の第２の実施形態に係る薄葉紙ホルダーについて、図面を参照して説明する。なお、上記実施形態と同様の機能を有する部材には、同一の符号を付して詳細な説明は省略する。本発明の第２の実施形態に係る薄葉紙ホルダーは、上記の第１の実施形態に係る薄葉紙ホルダーの３つの連結部を２つに変更し、薄葉紙ホルダーの底面部に支持部を設けたものである。
【００６３】
図７は、本発明の第２の実施形態に係る薄葉紙ホルダーの一例を示す斜視図であり、図８は、本実施形態に係る薄葉紙ホルダーの底面部側から見た斜視図である。図７および図８に示すように、本実施形態に係る薄葉紙ホルダー１０Ｂは、ホルダー本体１１と、連結部１２Ａ、１２Ｂと、支持部４１とを有する。なお、本実施形態においては、ホルダー本体１１は布生地ではなく、プラスチックなどの剛性のある材料で形成し、補強部２３の形状は矩形状とする。
【００６４】
ホルダー本体１１は、底面部１１ｃに、支持部４１を保持する保持部４２を有し、保持部４２は底面部１１ｃに接着などにより連結されている。支持部４１および保持部４２は、それぞれ、例えば、プラスチックなどで形成されている。支持部４１および保持部４２の側面には、図９に示すように、それぞれ、凹凸状の嵌合部４１ａおよび４２ａが形成されており、支持部４１が所定の力で引き出さないと、突出しない構成になっている。なお、保持部４２の下面側には、使用者が保持部４２を移動させ易いようにするため、溝部４３が形成されている。また、保持部４２の下面には、支持部４１が保持部４２から下方に脱落しないように留め具４４が設けられている。また、支持部４１が保持部４２から下方に脱落しないよう構成として、留め具４４以外の他の構成を用いてもよい。例えば、保持部４２の下面から側面に蟻溝を形成し、支持部４１が保持部４２の前記蟻溝に挿入される形態としてもよい。
【００６５】
支持部４１は、保持部４２内に、嵌合部４１ａと嵌合部４２ａとを嵌合させつつ移動可能に設けられており、ホルダー本体１１の背面部１１ｂ側に壁面に向かってスライドして突設するように設けられている。支持部４１を壁面に向かって突出させることにより、支持部４１の端部を壁面に接触させることができる。なお、嵌合部４１ａおよび４２ａにより、ティシュペーパーＴの取出しで、ホルダー本体１１が多少前後方向に揺れても、支持部４１がホルダー本体の１１の底面部１１ｃの内側に引っ込むことを防ぐことができる。
【００６６】
また、支持部４１の嵌合部４１ａを保持部４２の嵌合部４２ａと嵌合させつつ支持部４１を移動させることができるため、図１０に示すように、支持部４１をホルダー本体１１の背面部１１ｂ側に突出させる際、支持部４１の移動および固定を確実に行うことができる。このため、支持部４１の突出位置を容易に調整することができる。また、支持部４１を使用しないときは、支持部４１が突設しないようにホルダー本体１１にスライドさせ、保持部４２に収容される。これにより、薄葉紙ホルダー１０Ｂの流通時など薄葉紙ホルダー１０Ｂが使用されない時に、薄葉紙ホルダー１０Ｂが嵩張ることを防ぐことができる。
【００６７】
よって、本実施形態に係る薄葉紙ホルダー１０Ｂによれば、２つの連結部１２Ａ、１２Ｂ、および支持部４１を備えることにより、ホルダー本体１１の底面部１１ｃが床面方向を向くように、ホルダー本体１１を安定した状態で吊すことができる。このため、本実施形態に係る薄葉紙ホルダー１０Ｂにおいても、ティシュペーパーＴをホルダー本体１１の底面部１１ｃに設けた開口部２４からスムーズに安定して取り出すことができる。また、ホルダー本体１１内に積層されているティシュペーパーＴの最下面は常にホルダー本体１１の底面部１１ｃに位置する。よって、本実施形態に係る薄葉紙ホルダー１０Ｂにおいても、ホルダー本体１１内のティシュペーパーＴを最後まで安定して開口部２４から取り出し易くすることができる。
【００６８】
また、本実施形態に係る薄葉紙ホルダー１０Ｂにおいても、上記の通り、連結部１２Ａ、１２Ｂに所定の部材を用いて構成することにより、タオル掛け１３Ａへの取り付けを容易に行うことができる。
【００６９】
さらに、本実施形態に係る薄葉紙ホルダー１０Ｂにおいても、水回りの壁面に設置し、ホルダー本体１１を底面部１１ｃから下向きにティシュペーパーＴを取り出している。そのため、開口部２４に水などがかからないようにティシュペーパーＴを取り出すことができる。
【００７０】
また、本実施形態では、支持部４１は、ホルダー本体１１の背面部１１ｂ側に壁面に向かってスライドして突設するように設けられているが、ホルダー本体１１の背面部１１ｂ側に壁面に向かって突設していれば、特に限定されるものではない。
【００７１】
例えば、図１１に示すように、ホルダー本体１１の背面部１１ｂから壁面側に回動して突設する支持部５１を設けてもよい。支持部５１は、支持本体５１ａ、突出部５１ｂ、回動部５１ｃとで構成されている。支持部５１を構成する各部材も、例えば、プラスチックなどで形成されている。なお、支持本体５１ａはホルダー本体１１の背面部１１ｂに接着などにより連結されている。また、回動部５１ｃは、突出部５１ｂが回動可能な強度を有しつつ、支持本体５１ａおよび突出部５１ｂの下端部で連結している。
【００７２】
このように、ホルダー本体１１の背面部１１ｂに支持部５１を設けた場合でも、ホルダー本体１１の底面部１１ｃが床面方向を向くように、ホルダー本体１１を安定した状態で吊すことができる。そのため、ティシュペーパーＴをホルダー本体１１の底面部１１ｃに設けた開口部２４からスムーズに安定して取り出すことができる。また、本実施形態に係る薄葉紙ホルダー１０Ｂを使用しない時には、図１２に示すように、突出部５１ｂは、支持本体５１ａ側に回動して折りたたむ。これにより、支持部５１を使用しないときは、支持部５１が突設しないようにホルダー本体１１側に回動させる。これにより、薄葉紙ホルダー１０Ｂの流通時など薄葉紙ホルダー１０Ｂが使用されない時に、薄葉紙ホルダー１０Ｂが嵩張ることを防ぐことができる。
【００７３】
上記各実施形態では、衛生薄葉紙としてティシュペーパーを用いて説明したが、これに限定されるものではなく、ペーパータオル、トイレットペーパー、キッチンペーパー、または掃除用ワイプなど他の衛生薄葉紙も用いることができる。
【００７４】
なお、ホルダー内に収容するティシュペーパーの大きさは、例えば、上面及び底面の形状が、６０〜１３０ｍｍ×１５０〜２５０ｍｍ、高さが２０〜１１０ｍｍ程度である。ティシュペーパーのプライ数は、２プライであり、その１プライ当たりの坪量は１０〜２０ｇ／ｍ２、より好ましくは１４．０〜１８．０ｇ／ｍ２である。また、紙厚は、２プライで１３０〜２００μｍであり、より好ましくは１４５〜１７５μｍである。なお、坪量とは、ＪＩＳ  Ｐ  ８１２４（１９９８）に基づいて測定した値を意味する。紙厚は、試験片をＪＩＳ  Ｐ  ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。乾燥引張紙力は、ＪＩＳ  Ｐ  ８１１３（２００６）に基づき、乾燥引張紙力（縦）が１００〜８００ｃＮ、乾燥引張紙力（横）が５０〜３００ｃＮである。湿潤引張紙力はＪＩＳ  Ｐ  ８１３５に基づき、湿潤引張紙力（縦）が５０〜３００ｃＮ、湿潤引張紙力（横）２０〜２００ｃＮである。なお、各引張紙力及び伸び率における試料は、２５ｍｍ幅での測定値である。
【００７５】
ホルダー内に収容するペーパータオルの大きさは、上面及び底面の形状が、６０〜１３０ｍｍ×２００〜３００ｍｍ、高さが２０〜１１０ｍｍ程度である。ペーパータオルのプライ数は、1プライまたは２プライ以上の複数プライのものとすることができる。１プライ当たりの坪量が８〜５０ｇ／ｍ２、好ましくは１０〜４０ｇ／ｍ２である。また、紙厚は、８０〜２００μｍ、より好ましくは１００〜１５０μｍである。乾燥引張紙力は、ＪＩＳ  Ｐ  ８１１３（２００６）に基づき、乾燥引張紙力（縦）が８００〜２０００ｃＮ、乾燥引張紙力（横）が２００〜１０００ｃＮである。湿潤引張紙力は、ＪＩＳ  Ｐ  ８１３５に基づき、湿潤引張紙力（縦）が２００〜１５００ｃＮ、湿潤引張紙力（横）が１００〜１０００ｃＮである。
【００７６】
以上の通り、実施形態を説明したが、上記実施形態は、例として提示したものであり、上記実施形態により本発明が限定されるものではない。上記実施形態は、その他の様々な形態で実施されることが可能であり、発明の要旨を逸脱しない範囲で、種々の組み合わせ、省略、置き換え、変更などを行うことが可能である。これら実施形態やその変形は、発明の範囲や要旨に含まれるとともに、特許請求の範囲に記載された発明とその均等の範囲に含まれる。
【実施例】
【００７７】
以下、実施例および比較例を示して実施形態を更に具体的に説明するが、実施形態はこれらの実施例により限定されるものではない。
【００７８】
＜薄葉紙ホルダーの作製＞
［実施例１］
図１に示す第１の実施形態に係る薄葉紙ホルダーのホルダー本体１１の素材として厚さが５００μｍ程度の布生地（綿８５％、麻１５％）を用い、開口部２４の位置は底面部１１ｃとして、ホルダー本体１１の内部のシート（「エリエール  ペーパータオル  スマートタイプ  ダブル」、大王製紙株式会社製）の取り出し方向を下向きとした。ホルダー本体１１は内部のシートが横置きとなるようにして用いた。ホルダー本体１１に設けた３つの連結部１２Ａ〜１２Ｃ（タオル掛けとの連結箇所）のうち、連結部１２Ａ、１２Ｂとして、紐およびＳ字状フックを用い、紐は補強部２３に取り付け、Ｓ字状フックはタオル掛けに取り付け、紐はＳ字状フックに結んで固定した。連結部１２Ｃとして、マジックテープ（登録商標）を用い、タオル掛けに複数回巻き付けて固定した。タオル掛けは、棒状タイプのタオル掛けを用いた。固定箇所（連結部１２Ａ〜１２Ｃがタオル掛けに連結する箇所）と壁との距離は５０ｍｍとした。図２に示す、開口部２４の長さＬは１６０ｍｍとし、幅Ｗは１ｍｍとした。
【００７９】
［実施例２］
実施例１のタオル掛けを長方形状に変更し、固定箇所と壁との距離を１０ｍｍに変更したこと以外は、実施例１と同様とした。
【００８０】
［実施例３］
図７に示す第２の実施形態に係る薄葉紙ホルダーを用いた。そして、ホルダー本体１１の素材、素材の厚さ、開口部２４の位置、シートの向き、連結箇所の数、タオル掛けの形状、固定箇所と壁との距離、開口部２４の長さＬ、および幅Ｗは、実施例１と同様とした。
【００８１】
［比較例１］
実施例２のタオル掛けと連結する連結部（タオル掛けとの連結箇所）の数を３つから１つに変更し、開口部２４の幅Ｗを２０ｍｍに変更したこと以外は、実施例２と同様とした。なお、連結部は、補強部２３の２カ所に紐を取り付け、Ｓ字状フックの下側に紐を引っかけた状態でＳ字状フックの上側をタオル掛けに取り付けた。
【００８２】
［比較例２］
比較例１の開口部２４の幅Ｗを１ｍｍに変更したこと以外、比較例１と同様とした。
【００８３】
［比較例３］
実施例１のホルダー本体１１の素材を布生地に代えて厚さが２１０μｍ程度のプラスチック（ポリエチレン製）に変更した。そして、開口部２４の位置を前面部としてホルダー本体１１の内部のシートの取り出し方向を前面部側とし、タオル掛けとの連結箇所の数を１つとし、開口部２４の長さＬは１８０ｍｍとし、幅Ｗは２０ｍｍとしたこと以外は、実施例１と同様とした。連結部は、ホルダー本体１１の上面部１１ｅの２カ所に紐を取り付け、Ｓ字状フックの下側に紐を引っかけた状態でＳ字状フックの上側をタオル掛けに取り付けた。
【００８４】
［比較例４］
実施例１のホルダー本体１１の素材の厚さを４３０μｍ程度とし、開口部２４の位置を前面部とし、ホルダー本体１１は内部のシートが縦置きとなるようにし、タオル掛けとの連結箇所の数を１つとしたこと以外は、実施例１と同様とした。連結部は、ホルダー本体１１の上側の２カ所に紐を取り付け、Ｓ字状フックの下側に紐を引っかけた状態でＳ字状フックの上側をタオル掛けに取り付けた。
【００８５】
各実施例および比較例のホルダー本体１１の素材、素材の厚さ、開口部２４の位置、シートの向き、タオル掛けとの連結箇所の数、タオル掛けの形状、固定箇所と壁との距離、開口部２４の長さＬ、および幅Ｗを表１に示す。
【００８６】
＜評価＞
各実施例および比較例の薄葉紙ホルダーを用いて、以下の評価を行った。
［シートを引っ張る力］
シートの下端にクリップをつけて、クリップにデジタルフォースゲージ（２２−２０Ｎ、ＩＭＡＤＡ社製）を引っかけた後、６０ｃｍ／秒の速度でシートを下方向に引っ張り、シートを引っ張る力を測定した。測定は３回行い、その平均値を求めた。
［左右に揺れる角度］
シートをホルダー本体１１の開口部２４から引っ張った時に、ホルダー本体１１の幅方向Ｘにおいて、ホルダー本体１１が水平方向に対して傾いた角度を測定した。
［前後に揺れる角度］
シートをホルダー本体１１の開口部２４から引っ張った時に、ホルダー本体１１の奥行き方向Ｙにおいて、ホルダー本体１１が水平方向に対して傾いた角度を測定した。
［最後の１枚までの取出し］
シートがホルダー本体１１の中に落ち込まず、最後までポップアップ式に１枚ずつ取出すことができるか確認した。シートを最後の１枚までポップアップ式に１枚ずつ取出すことができた場合を○印とし、それ以外は×印とした。
［取出しやすさ］
シートをホルダー本体１１の開口部２４から取り出した際の取り出しやすさを以下の指標に基づいて確認した。
○：ホルダー本体１１が揺れにくく、取り出す時に力が要らない
△：ホルダー本体１１が揺れる、またはシートを取り出す時に力がいる
×：ホルダー本体１１が揺れ、かつシートを取り出す時に力がいる
【００８７】
各実施例および比較例の薄葉紙ホルダーのそれぞれの上記の評価結果を表１に示す。
【００８８】
【表１】
2018122878.tif 000003
【００８９】
実施例１〜３の薄葉紙ホルダーは、いずれも、ホルダー本体１１は揺れにくく、シートを取り出す時も力が要らないことが確認された。一方、比較例１〜４の薄葉紙ホルダーは、いずれも、少なくともホルダー本体１１が揺れるかシートを取り出す時に力が必要であり、シートが取出し難いことが確認された。よって、本実施形態に係る薄葉紙ホルダーを用いれば、ホルダー本体１１内のシートを最後まで取り出し易い状態で使用することができるといえる。
【符号の説明】
【００９０】
１０Ａ、１０Ｂ  薄葉紙ホルダー
１１  ディスペンサー（ホルダー本体）
１１ｂ  背面部
１１ｃ  底面部
１２Ａ〜１２Ｃ  連結部
１３Ａ〜１３Ｃ  タオル掛け
２１  収容部
２２  蓋部
２４  開口部
４１、５１  支持部
Ｌ１〜Ｌ３  距離
Ｔ  ティシュペーパー
Ｘ  幅方向
Ｙ  奥行き方向
【図１】
2018122878.tif 000004
【図２】
2018122878.tif 000005
【図３】
2018122878.tif 000006
【図４】
2018122878.tif 000007
【図５】
2018122878.tif 000008
【図６】
2018122878.tif 000009
【図７】
2018122878.tif 000010
【図８】
2018122878.tif 000011
【図９】
2018122878.tif 000012
【図１０】
2018122878.tif 000013
【図１１】
2018122878.tif 000014
【図１２】
2018122878.tif 000015